(57)【要約】  本開示は無線通信システムにおける電子装置、方法及びコンピュータ可読記憶媒体に関する。本開示による無線通信システムにおける電子装置は、ユーザー装置が被る干渉状況に従ってリソース配置情報を生成し、前記ユーザー装置の現在高度が高度閾値よりも高く、前記ユーザー装置の現在のサービングセルの隣接セル以外の他のセルの基地局装置に、前記他のセルの基地局装置が情報を送信するためのリソースを配置するために前記リソース配置情報を送信するように配置される処理回路を含む。本開示による電子装置、方法及びコンピュータ可読記憶媒体によれば、無人機装置を含む無線通信システムで発生する情報干渉を低減することができる。
2020535673.tif 000002
【特許請求の範囲】
【請求項１】
無線通信システムにおける電子装置であって、
ユーザー装置が被る干渉状況に従ってリソース配置情報を生成し、前記ユーザー装置の現在の高度が高度閾値よりも高く、
前記ユーザー装置の現在のサービングセルの隣接セル以外の他のセルの基地局装置に、前記他のセルの基地局装置が情報を送信するためのリソースを配置するために前記リソース配置情報を送信する、
ように配置される処理回路を含む電子装置。
【請求項２】
前記処理回路はさらに、
前記電子装置、前記隣接セルの基地局装置及び前記他のセルの基地局装置が情報を送信するためのリソースに従って、前記ユーザー装置が被る干渉状況を確定する、
ように配置される請求項１に記載の電子装置。
【請求項３】
前記処理回路はさらに、
前記電子装置、前記隣接セルの基地局装置及び前記他のセルの基地局装置の物理セル識別子ＰＣＩに従って、前記電子装置、前記隣接セルの基地局装置及び前記他のセルの基地局装置が情報を送信するためのリソースを確定する、
ように配置される請求項２に記載の電子装置。
【請求項４】
前記処理回路はさらに、
Ｘ２インターフェースを介して、前記隣接セルの基地局装置及び前記他のセルの基地局装置が情報を送信するためのリソースを取得する、
ように配置される請求項２に記載の電子装置。
【請求項５】
前記処理回路はさらに、
Ｓ１インターフェースを介して、前記隣接セルの基地局装置と前記他のセルの基地局装置が情報を送信するためのリソースを取得する、
ように配置される請求項２に記載の電子装置。
【請求項６】
前記処理回路はさらに、
前記電子装置、前記隣接セルの基地局装置及び前記他のセルの基地局装置が情報を送信するためのリソースに従って、前記電子装置、前記隣接セルの基地局装置及び前記他のセルの基地局装置をグループ化する、
ように配置される請求項２に記載の電子装置。
【請求項７】
前記処理回路はさらに、
同じグループにある装置が、情報を送信するためのリソースを多重化するように、前記リソース配置情報を生成する
ように配置される請求項６に記載の電子装置。
【請求項８】
前記処理回路はさらに、
同じグループにある装置が、情報を送信するためのリソースを時分割多重化、周波数分割多重化又は空間分割多重化するように、前記リソース配置情報を生成する、
ように配置される請求項７に記載の電子装置。
【請求項９】
前記処理回路はさらに、
更に前記ユーザー装置の位置情報に従って、前記ユーザー装置が被る干渉状況を確定する、
ように配置される請求項２に記載の電子装置。
【請求項１０】
前記他のセルの基地局装置によって送信される情報はデータ情報と制御情報を含む、
請求項１に記載の電子装置。
【請求項１１】
前記制御情報は基準信号を含む、
請求項１０に記載の電子装置。
【請求項１２】
前記電子装置は前記無線通信システムにおける基地局装置として使用され、前記ユーザー装置は無人機装置である、
請求項１から１１のいずれか１項に記載の電子装置。
【請求項１３】
無線通信システムにおける電子装置であって、
前記電子装置が被る干渉状況に従ってリソース配置情報を生成し、
前記電子装置が位置するセルの隣接セル以外の他のセルの基地局装置に、前記他のセルの基地局装置がそのユーザー装置に情報を送信するためのリソースを配置するために前記リソース配置情報を送信し、前記ユーザー装置の現在の高度が高度閾値よりも高い、
ように配置される処理回路を含む電子装置。
【請求項１４】
前記処理回路はさらに、
前記電子装置からの距離が距離閾値よりも小さいユーザー装置が情報を送信するためのリソースに従って、前記電子装置が被る干渉状況を確定する、
ように配置される請求項１３に記載の電子装置。
【請求項１５】
前記処理回路はさらに、
前記電子装置からの距離が距離閾値よりも小さいユーザー装置の現在のサービングセルの基地局装置から、前記ユーザー装置が情報を送信するためのリソースを受信する、
ように配置される請求項１４に記載の電子装置。
【請求項１６】
前記処理回路はさらに、
前記電子装置からの距離が距離閾値よりも小さい複数のユーザー装置が情報を送信するためのリソースが同じである場合に、前記電子装置が干渉されると確定する、
ように配置される請求項１４に記載の電子装置。
【請求項１７】
前記処理回路はさらに、
前記電子装置が干渉されたときに、前記複数のユーザー装置のうち一部のユーザー装置又は全部のユーザー装置の現在のサービングセルの基地局装置に、前記基地局装置がそのユーザー装置に情報を送信するためのリソースを再配置するために前記リソース配置情報を送信する、
ように配置される請求項１６に記載の電子装置。
【請求項１８】
前記ユーザー装置によって送信される情報はデータ情報と制御情報を含む、
請求項１３に記載の電子装置。
【請求項１９】
前記制御情報は基準信号を含む、
請求項１８に記載の電子装置。
【請求項２０】
前記電子装置は前記無線通信システムにおける基地局装置として使用され、前記ユーザー装置は無人機装置である、
請求項１３から１９のいずれか１項に記載の電子装置。
【請求項２１】
無線通信システムにおける電子装置によって実行される無線通信方法であって、
ユーザー装置が被る干渉状況に従ってリソース配置情報を生成し、前記ユーザー装置の現在の高度が高度閾値よりも高いことと、
前記ユーザー装置の現在のサービングセルの隣接セル以外の他のセルの基地局装置に、前記他のセルの基地局装置が情報を送信するためのリソースを配置するために前記リソース配置情報を送信することと、
を含む無線通信方法。
【請求項２２】
無線通信システムにおける電子装置によって実行される無線通信方法であって、
前記電子装置が被る干渉状況に従ってリソース配置情報を生成することと、
前記電子装置が位置するセルの隣接セル以外の他のセルの基地局装置に、前記他のセルの基地局装置がそのユーザー装置に情報を送信するためのリソースを配置するために前記リソース配置情報を送信し、前記ユーザー装置の現在の高度が高度閾値よりも高いことと、
を含む無線通信方法。
【請求項２３】
実行可能なコンピュータ指令が含まれるコンピュータ可読記憶媒体であって、
前記実行可能なコンピュータ指令がコンピュータによって実行されるときに、請求項２１又は２２に記載の無線通信方法を前記コンピュータに実行させる、
コンピュータ可読記憶媒体。
【発明の詳細な説明】
【技術分野】
【０００１】
本出願は、２０１７年９月２１日に中国特許庁に提出された、出願番号が２０１７１０８６１６３６．９であって、発明の名称が「無線通信システムにおける電子装置、方法及びコンピュータ可読記憶媒体」である中国特許出願に基づく優先権を主張するものであり、その全内容を本出願に参照により援用する。
【０００２】
本発明の実施例は一般に、無線通信分野に関し、具体的に、無線通信システムにおける電子装置、無線通信システムにおける電子装置によって実行される無線通信方法、及びコンピュータ可読記憶媒体に関する。
【背景技術】
【０００３】
現在、業界はセルラーネットワークで無人航空機(Ｕｎｍａｎｎｅｄ  Ａｅｒｉａｌ  Ｖｅｈｉｃｌｅ、ＵＡＶ、無人機とも呼ばれる)の使用にますます関心を寄せている。捜索救助、重要なインフラ監視、野生生物保護、飛行カメラ、監視などの、無人機の商業利用シナリオも急速に増長し、これらの適用シナリオは今後数年で急速に増加する。無人機は通常の地上のユーザー装置(Ｕｓｅｒ  Ｅｑｕｉｐｍｅｎｔ、ＵＥ)と異なり、例えば無人機の飛行高度及び速度は地上の通常のＵＥよりも遥かに大きくなる。無人機の飛行高度が(基地局に対して)低い場合に、無人機は通常のＵＥとして見なすことができる。  
【発明の概要】
【発明が解決しようとする課題】
【０００４】
しかしながら、無人機の飛行高度が高い(例えば、基地局よりも高い)場合に、高空の電磁信号の減衰が小さいため、無人機からのアップリンク信号はより多くのセルで受信され、無人機もより多くのセルからダウンリンク信号を受信し、干渉を引き起こす可能性がある。
【０００５】
そこで、無人機装置を含む無線通信システムにおける干渉問題を解決するための技術的解決策を提案する必要がある。
【課題を解決するための手段】
【０００６】
この部分は本開示の一般的な概要を提供し、その全範囲又はその全ての特徴の完全な開示ではない。
【０００７】
本開示は、無人機装置を含む無線通信システムにおける干渉問題を解決するために、無線通信システムにおける電子装置、無線通信システムにおける電子装置によって実行される無線通信方法、及びコンピュータ可読記憶媒体を提供することを目的とする。
【０００８】
本開示の一態様によれば、無線通信システムにおける電子装置を提供し、ユーザー装置が被る干渉状況に従ってリソース配置情報を生成し、前記ユーザー装置の現在の高度が高度閾値よりも高く、前記ユーザー装置の現在のサービングセルの隣接セル以外の他のセルの基地局装置に、前記他のセルの基地局装置が情報を送信するためのリソースを配置するために前記リソース配置情報を送信するように配置される処理回路を含む。
【０００９】
本開示の他の態様によれば、無線通信システムにおける電子装置を提供し、前記電子装置が被る干渉状況に従ってリソース配置情報を生成し、前記電子装置が位置するセルの隣接セル以外の他のセルの基地局装置に、前記他のセルの基地局装置がそのユーザー装置に情報を送信するためのリソースを配置するために前記リソース配置情報を送信し、前記ユーザー装置の現在の高度が高度閾値よりも高いように配置される処理回路を含む。
【００１０】
本開示の他の態様によれば、無線通信システムにおける電子装置によって実行される無線通信方法を提供し、ユーザー装置が被る干渉状況に従ってリソース配置情報を生成し、前記ユーザー装置の現在の高度が高度閾値よりも高いことと、前記ユーザー装置の現在のサービングセルの隣接セル以外の他のセルの基地局装置に、前記他のセルの基地局装置が情報を送信するためのリソースを配置するために前記リソース配置情報を送信することとを含む。
【００１１】
本開示の他の態様によれば、無線通信システムにおける電子装置によって実行される無線通信方法を提供し、前記電子装置が被る干渉状況に従ってリソース配置情報を生成することと、前記電子装置が位置するセルの隣接セル以外の他のセルの基地局装置に、前記他のセルの基地局装置がそのユーザー装置に情報を送信するためのリソースを配置するために前記リソース配置情報を送信し、前記ユーザー装置の現在の高度が高度閾値よりも高いこととを含む。
【００１２】
本開示の他の態様によれば、実行可能なコンピュータ指令が含まれるコンピュータ可読記憶媒体を提供し、前記実行可能なコンピュータ指令がコンピュータによって実行されるときに本開示に記載の無線通信方法を前記コンピュータに実行させる。
【００１３】
本開示による無線通信システムにおける電子装置、無線通信システムにおける電子装置によって実行される無線通信方法及びコンピュータ可読記憶媒体を使用することによって、ダウンリンク干渉シナリオでは、電子装置は、ユーザー装置が被る干渉状況に従ってリソース配置情報を生成し、現在のサービングセルの隣接セル以外の他のセルの基地局装置に、他のセルの基地局装置が情報を送信するためのリソースを配置するためにリソース配置情報を送信することができる。このようにして、電子装置は、ダウンリンク干渉シナリオにおける干渉問題を解決するために、情報を送信するためのリソースを、隣接セル以外の他のセルの基地局装置と協調することができる。
【００１４】
本開示による無線通信システムにおける電子装置、無線通信システムにおける電子装置によって実行される無線通信方法及びコンピュータ可読記憶媒体を使用することによって、アップリンク干渉シナリオでは、電子装置は、電子装置が被る干渉状況に従ってリソース配置情報を生成し、現在のサービングセルの隣接セル以外の他のセルの基地局装置に、他のセルの基地局装置がそのユーザー装置に情報を送信するためのリソースを配置するためにリソース配置情報を送信することができる。このようにして、電子装置は、アップリンク干渉シナリオにおける干渉問題を解決するために、情報を送信するためのリソースを、隣接セル以外の他のセルの基地局装置と協調することができる。
【００１５】
さらなる適用分野は本明細書に提供される説明から明らかになる。この概要における説明及び具体例は、例示の目的のみのためであり、本開示の範囲を限定することを意図するものではない。
【図面の簡単な説明】
【００１６】
本明細書に開示された図面は、全ての可能な実施態様ではなくて、選択された実施例の例示の目的のみのためであり、本開示の範囲を限定することを意図するものではない。図面において、
【００１７】
【図１】本開示の実施例によるダウンリンク干渉シナリオを示す概略図である。
【図２】本開示の実施例によるアップリンク干渉シナリオを示す概略図である。
【図３】本開示の実施例による基準信号を送信するためのリソースを示す概略図である。
【図４】本開示の実施例によるアップリンク及びダウンリンク干渉を引き起こす情報送信を示す概略図である。
【図５】本開示の実施例による電子装置の構成を示すブロック図である。
【図６】本開示の実施例によるＸ２インターフェースを介して、基地局装置が情報を送信するためのリソースを取得するシグナリングを示すフローチャートである。
【図７】本開示の実施例による同じグループの基地局装置の情報を送信するためのリソースを時分割多重化する概略図である。
【図８】本開示の実施例による同じグループの基地局装置の情報を送信するためのリソースを周波数分割多重化する概略図である。
【図９】本開示の実施例による同じグループの基地局装置の情報を送信するためのリソースを空間分割多重化する概略図である。
【図１０】本開示の実施例による基地局装置のグループ化を示す概略図である。
【図１１】本開示の実施例による各グループの基地局装置の情報を送信するためのリソースを時分割多重化する概略図である。
【図１２】本開示の実施例によるダウンリンク干渉シナリオに使用されるシグナリングを示すフローチャートである。
【図１３】本開示の実施例によるアップリンク干渉シナリオに使用されるシグナリングを示すフローチャートである。
【図１４】本開示の実施例による無線通信システムにおける電子装置によって実行される無線通信方法を示すフローチャートである。
【図１５】本開示の他の実施例による無線通信システムにおける電子装置によって実行される無線通信方法を示すフローチャートである。
【図１６】進化型ノードＢ(ｅＮＢ)の概略配置の第１の例を示すブロック図である。
【図１７】ｅＮＢの概略配置の第２の例を示すブロック図である。
【００１８】
本開示は様々な修正及び代替形態を容易に受け入れることができるが、その特定の実施例は例として添付の図面に示されて、そして、ここで詳細に説明する。しかしながら、本明細書における特定の実施例に対する説明は本開示を開示された具体的な形態に限定することを意図するものではなく、逆に、本開示は本開示の精神及び範囲内に入る全ての修正、均等、及び置換を包含することを意図することは理解されたい。なお、いくつかの図面を通して、対応する符号は対応する部品を示す。
【発明を実施するための形態】
【００１９】
本開示の例について、添付の図面を参照しながらより十分に説明する。以下の説明は、実質的に単なる例示であり、本開示、適用又は用途を限定するものではない。
【００２０】
本開示が詳しくなり、その範囲を当業者に十分に伝えるように、例示的な実施例を提供する。特定の部品、デバイス、及び方法の例などの様々な特定の詳細を説明して、本開示の実施例に対する十分な理解を提供する。特定の詳細は必ず必要ではなく、例示的な実施例は多くの異なる形態で実施されることができ、それらが本開示の範囲を限定するものと解釈されるべきではないことは、当業者には明らかである。いくつかの例示的な実施例では、周知のプロセス、周知の構造、及び周知の技術は詳細には記載されていない。
【００２１】
以下の順序に従って説明する。
１．問題の説明；
２．ダウンリンク干渉シナリオの基地局側の配置例；
３．アップリンク干渉シナリオの基地局側の配置例；
４．方法実施例；
５．適用例。
【００２２】
＜１．問題の説明＞
図１は、本開示の実施例によるダウンリンク干渉シナリオを示す概略図である。図１に示すように、無線通信システムにおいて、セルラーセルＡの１ホップ隣接セルはａ１、ａ２、ａ３、ａ４、ａ５及びａ６を含む。ここで、セルラーセルＡの１ホップ隣接セルはセルラーセルＡの隣接セルとも呼ばれる。本開示では、セルラーセルＡの隣接セルとはセルラーセルＡの１ホップ隣接セル、即ち、地理的位置がセルラーセルＡと隣接するセルである。図１では、セルラーセルＡの２ホップ隣接セルはｂ１、ｂ２、…、ｂ１２を含む。本開示では、セルラーセルＡの２ホップ以上の隣接セルは、セルラーセルＡの隣接セル以外の他のセルである。また、当該無線通信システムには、無人機装置ＵＡＶも含まれる。ここで、無人機装置ＵＡＶの現在のサービングセルがセルラーセルＡであると仮定すると、無人機装置ＵＡＶの高度が一定の閾値に達するときに、セルラーセルｂ６の基地局からの距離が近いか又はセルラーセルｂ６の基地局のリンク品質がよいため、セルラーセルｂ６からのダウンリンク情報を受信することができる。この場合、無人機装置ＵＡＶはセルラーセルＡの基地局及びセルラーセルｂ６の基地局のダウンリンク情報を同時に受信することができ、セルラーセルＡの基地局及びセルラーセルｂ６の基地局は同じリソースを使用してダウンリンク情報を送信する場合、セルラーセルＡの基地局からの情報及びセルラーセルｂ６の基地局からの情報は互いに干渉情報として見なすことができ、それにより、無人機装置ＵＡＶはいずれかの側からの情報を正しく復調することができない。これにより、図１に示すシナリオでは、無人機装置は複数の基地局装置からのダウンリンク情報を受信し、複数の基地局装置は同じリソースを使用してダウンリンク情報を送信することができるため、このようなシナリオは本明細書ではダウンリンク干渉シナリオとも呼ばれる。
【００２３】
図１に示す無線通信システムにおいて１つの無人機装置のみを示すが、本開示はこれに限定されず、無線通信システムにおいて複数の無人機装置が含まれる場合があることに留意されたい。さらに、図１に示す無線通信システムでは、セルラーセルＡの１ホップ隣接セル及び２ホップ隣接セルのみを示し、セルラーセルＡは３ホップ以上の隣接セルを有してもよい。また、無人機装置への干渉を引き起こす基地局は２つであってもよいし、それ以上であってもよく、これらの基地局が位置するセルは互いに１ホップ隣接セル、２ホップ隣接セル、又はそれ以上のホップ隣接セルであってもよい。つまり、本開示は、図１に示すダウンリンク干渉シナリオに限定されず、本開示は、複数の基地局装置からのダウンリンク情報干渉を無人機装置で被る全ての無線通信システムに適用可能である。
【００２４】
図２は、本開示の実施例によるアップリンク干渉シナリオを示す概略図である。図２に示すセルラーセルの設置は図１と同じであり、ここで説明を繰り返さない。また、当該無線通信システムはさらに、無人機装置ＵＡＶ１及びＵＡＶ２を含む。ここで、無人機装置ＵＡＶ１の現在のサービングセルがセルラーセルｂ７であると仮定すると、無人機装置ＵＡＶ２の現在のサービングセルはセルラーセルｂ９である。無人機装置ＵＡＶ１及びＵＡＶ２の高度が一定の閾値に達する場合に、セルラーセルＡの基地局からの距離が近いか又はセルラーセルＡの基地局のリンク品質がよいため、セルラーセルＡの基地局は無人機装置ＵＡＶ１及びＵＡＶ２からの情報を受信することができる。この場合、セルラーセルＡの基地局は無人機装置ＵＡＶ１及びＵＡＶ２のアップリンク情報を同時に受信することができ、無人機装置ＵＡＶ１及びＵＡＶ２は同じリソースを使用してアップリンク情報を送信する場合に、無人機装置ＵＡＶ１からの情報と無人機装置ＵＡＶ２からの情報は互いに干渉情報として見なすため、セルラーセルＡの基地局は、いずれかの側からの情報を正しく復調することができない。これにより、図２に示すシナリオでは、基地局は複数の無人機装置からのアップリンク情報を受信するとともに、複数の無人機装置は同じリソースを使用してアップリンク情報を送信することができるため、このようなシナリオは本明細書ではアップリンク干渉シナリオとは呼ばれる。
【００２５】
図２に示す無線通信システムにおいて２つの無人機装置のみを示すが、本開示はこれに限定されず、無線通信システムにおいてそれ以上の無人機装置が含まれる場合があることに留意されたい。さらに、図２に示す無線通信システムにおいてセルラーセルＡの１ホップ隣接セル及び２ホップ隣接セルのみを示し、セルラーセルＡは３ホップ以上の隣接セルを有してもよい。また、基地局への干渉を引き起こす無人機装置は２つであってもよいし、それ以上であってもよく、無人機装置は基地局が位置するセルの１ホップ隣接セル、２ホップ隣接セル、又はそれ以上のホップ隣接セルであってもよい。つまり、本開示は、図２に示すアップリンク干渉シナリオに限定されず、本開示は、複数の無人機装置からのアップリンク情報干渉を基地局装置で被る全ての無線通信システムに適用可能である。
【００２６】
また、本開示では、干渉を引き起こす情報はデータ情報と制御情報を含むことができる。制御情報は基準信号(Ｒｅｆｅｒｅｎｃｅ  Ｓｉｇｎａｌ,ＲＳ)を含むことができる。ここで、基準信号はＳＲＳ(Ｓｏｕｎｄｉｎｇ  ｒｅｆｅｒｅｎｃｅ  ｓｉｇｎａｌｓ、サウンディング基準信号)、ＣＲＳ(Ｃｅｌｌ-ｓｐｅｃｉｆｉｃ  ｒｅｆｅｒｅｎｃｅ  ｓｉｇｎａｌｓ、セル固有基準信号)及びＣＳＩ-ＲＳ(Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、チャネル状態情報基準信号)などを含むことができるが、これに限定されない。
【００２７】
図３は、本開示の実施例による基準信号を送信するためのリソースを示す概略図である。ここで、図３はＣＲＳを例として情報を送信するためのリソースの配置を説明する図である。ここで、図３は、ＣＲＳを送信する６つのリソース配置を示し、それぞれは「オフセット＝０」の配置、「オフセット＝１」の配置、「オフセット＝２」の配置、「オフセット＝３」の配置、「オフセット＝４」の配置及び「オフセット＝５」の配置である。このうち、横軸は時間領域を表し、縦軸は周波数領域を表し、各小さな正方形は１つのＲＥ(Ｒｅｓｏｕｒｃｅ  Ｅｌｅｍｅｎｔ、リソース要素)を表し、各配置では、時間領域における１つのサブフレーム(１４個のＯＦＤＭ符号)、周波数領域における１２個のサブキャリア(即ち、１つのＲＢ(Ｒｅｓｏｕｒｃｅ  Ｂｌｏｃｋ、リソースブロック)が占用するスペクトルリソース)のリソース配置状況を示す。「オフセット＝０」の配置を例として、各サブフレームは２つのタイムスロットを含み、各タイムスロットにおける１番目及び４番目のＯＦＤＭ符号における２つのサブキャリアでＣＲＳを送信する(黒い正方形はＣＲＳを送信するＲＥを示す)。他のオフセットの配置も同様である。図３に示すように、異なる配置について、周波数領域において異なるサブキャリアでＣＲＳを送信し、時間領域において各サブフレームの各タイムスロットでＣＲＳを送信する。そのため、複数の基地局が同じ配置方式を使用して(例えば、いずれも「オフセット＝０」の配置を使用して)ＣＲＳを送信する場合に、無人機装置がこれらの複数の基地局からの信号を同時に受信することができれば、無人機装置でダウンリンク干渉が発生する。
【００２８】
以上のように、図３は、ＣＲＳを例として制御情報を送信してダウンリンク干渉を発生するリソース配置方式について説明した。勿論、他の制御情報によってダウンリンク干渉が発生する原理と、制御情報によってアップリンク干渉が発生する原理について同様である。さらに、データ情報によってダウンリンク干渉及びアップリンク干渉が発生する原理についても同様である。即ち、無人機装置で複数の基地局装置が同じリソースを使用して送信するダウンリンク情報を受信することでダウンリンク干渉を引き起こし、或いは、基地局で複数の無人機装置が同じリソースを使用して送信するアップリンク情報を受信することでアップリンク干渉を引き起こす。ここで、リソースはスペクトルリソースを含むことができる。
【００２９】
図４は、本開示の実施例によるアップリンク及びダウンリンク干渉を引き起こす情報送信を示す概略図である。図４の上半部分にはダウンリンク干渉を引き起こす情報送信の概略図が示され、図４の下半部分にはアップリンク干渉を引き起こす情報送信の概略図が示される。図４に示すように、セルラーセルＡの基地局とセルラーセルｂ６の基地局が例えば、同じ周波数リソースなどの同じリソースを使用してダウンリンク情報を送信する場合に、セルラーセルＡの基地局とセルラーセルｂ６の基地局が時間的にダウンリンク情報を継続的に送信する(例えば、各サブフレームの各タイムスロットでＣＲＳを送信する)ため、図１に記載されるような、ＵＡＶがこれらの２つの基地局からのダウンリンク情報を同時に受信することができ、いずれかの側からの情報を正しく復調することができないことに繋がる。同様に、図４に示すように、ＵＡＶ１とＵＡＶ２が例えば、同じ周波数リソースなどの同じリソースを使用してアップリンク情報を送信する場合に、ＵＡＶ１とＵＡＶ２が時間的にアップリンク情報を継続的に送信するため、図２に記載されるようなセルラーセルＡの基地局はＵＡＶ１とＵＡＶ２からのアップリンク情報を同時に受信することができ、いずれかの側からの情報を正しく復調することができないことに繋がる。
【００３０】
本開示は、以上のシナリオに対して、無人機装置を含む無線通信システムにおいて発生する干渉問題を解決するために無線通信システムにおける電子装置、由無線通信システムにおける電子装置によって実行される無線通信方法及びコンピュータ可読記憶媒体を提案する。
【００３１】
＜２．ダウンリンク干渉シナリオの基地局側の配置例＞
図５は、本開示の実施例による電子装置４００の構成を示すブロック図である。ここで、電子装置４００は無線通信システムにおける基地局装置であってもよく、当該無線通信システムは複数の基地局装置及び１つ以上の無人機装置を含むことができる。図５に示すように、電子装置４００はユニット４１０と送受信ユニット４２０を含むことができる。
【００３２】
ここで、電子装置４００の各ユニットはいずれも処理回路に含まれてもよい。なお、電子装置４００は１つの処理回路を含んでもよいし、複数の処理回路を含んでもよい。さらに、処理回路は、様々な異なる機能及び／又は動作を実行するように、様々な個別の機能ユニットを含んでもよい。なお、これらの機能ユニットは物理エンティティ又は論理エンティティであってもよく、異なる呼称のユニットは同一の物理エンティティによって実現してもよい。
【００３３】
本開示の実施例によれば、生成ユニット４１０は、ユーザー装置が被る干渉状況に従ってリソース配置情報を生成することができ、ユーザー装置現在の高度は高度閾値よりも高い。
【００３４】
本開示の実施例によれば、電子装置４００はユーザー装置の現在のサービングセルの基地局装置であって、ユーザー装置は無人機装置であってもよい。上記のように、無人機の飛行高度が(基地局に対して)低い場合、無人機装置は通常のＵＥとして見なすことができ、無人機の飛行高度が高い(例えば、基地局よりも高い)場合、高空の電磁信号の減衰が小さいため、無人機装置は通常のＵＥとして見なすことができない。そのため、本開示では、高度閾値は、無人機装置を通常のＵＥとして見なすことができるかどうかを確定する閾値であってもよい。つまり、ユーザー装置の現在の高度が高度閾値よりも高い場合、当該ユーザー装置は通常のＵＥとして見なすことができない。
【００３５】
本開示の実施例によれば、送受信ユニット４２０はユーザー装置の現在のサービングセルの隣接セル以外の他のセルの基地局装置に、他のセルの基地局装置が情報を送信するためのリソースを配置するために、リソース配置情報を送信することができる。
【００３６】
本開示の実施例によれば、ユーザー装置の現在サービングのセルは電子装置４００であってもよく、基地局装置のセルとして機能する。さらに、現在のサービングセルの隣接セルとは現在のサービングセルの１ホップ隣接セル、即ち、地理的位置が現在のサービングセルに隣接するセルである。つまり、現在のサービングセルの隣接セル以外の他のセルは現在のサービングセルの２ホップ隣接セル又はそれ以上のホップ隣接セルである。本開示の実施例によれば、送受信ユニット４２０はこれらの他のセルに、他のセルの基地局装置が情報を送信するためのリソースを配置するためのリソース配置情報を送信することができる。
【００３７】
これにより、本開示の実施例によれば、電子装置は、隣接セル以外の他のセルの基地局装置にリソース配置情報を送信することができる。通常のＵＥについて、セルのエッジに位置する場合、２つの基地局装置からのダウンリンク信号を受信する可能性がある。つまり、ＵＥへの干渉を引き起こす基地局装置は隣接セルのものである。そのため、伝統的な干渉協調方案では、基地局装置は隣接セルの基地局装置のみにリソースを協調するための情報を送信することができる。本開示の実施例では、基地局装置は隣接セル以外のセルの基地局装置に、リソースを協調するためのリソース配置情報を送信することができ、それにより、無人機を含む無線通信システムにおけるダウンリンク干渉問題を解決することができる。
【００３８】
本開示の実施例によれば、電子装置４００は干渉確定ユニット４３０をさらに含んでもよい。干渉確定ユニット４３０は電子装置４００、隣接セルの基地局装置及び他のセルの基地局装置が情報を送信するためのリソースに従って、ユーザー装置が被る干渉状況を確定することができる。
【００３９】
本開示の実施例によれば、電子装置４００によって送信される情報、隣接セルの基地局装置によって送信される情報、及び他のセルの基地局装置によって送信される情報はいずれもデータ情報と制御情報を含むことができる。制御情報は基準信号を含んでもよい。つまり、電子装置４００がデータ情報に対するユーザー装置が被る干渉状況を確定しようとする場合、電子装置４００、隣接セルの基地局装置及び他のセルの基地局装置がデータ情報を送信するためのリソースに従って確定することができ、電子装置４００が制御情報に対するユーザー装置が被る干渉状況を確定しようとする場合、電子装置４００、隣接セルの基地局装置、及び他のセルの基地局装置が制御情報を送信するためのリソースに従って確定することができる。
【００４０】
本開示の実施例によれば、電子装置４００、隣接セルの基地局装置及び他のセルの基地局装置のうち複数の基地局装置が情報を送信するためのリソースが重複する場合、干渉確定ユニット４３０はユーザー装置が干渉を被ると確定することができる。ここで、情報を送信するためのリソースは情報を送信するためのスペクトルリソースを含むことができる。上記のように、複数の基地局装置が情報を送信するためのスペクトルリソースが同じである場合、干渉確定ユニット４３０はユーザー装置が干渉を被ると確定することができる。例えば、図３に示す例では、複数の基地局装置がいずれも「オフセット＝０」の配置を使用してＣＲＳを送信する場合に、これらの基地局装置がＣＲＳを送信するためのスペクトルリソースは同じであり、干渉確定ユニット４３０はこのときにユーザー装置が制御情報ＣＲＳに対する干渉を被ったと確定することができる。
【００４１】
本開示の実施例によれば、電子装置４００は、電子装置４００が情報を送信するためのリソースを知ることができる。つまり、電子装置４００の干渉確定ユニット４３０は、隣接セルの基地局装置及び他のセルの基地局装置が情報を送信するためのリソースをさらに取得する必要もある。以下、電子装置４００が隣接セルの基地局装置及び他のセルの基地局装置が情報を送信するためのリソースを取得するいくつかの方法について説明する。
【００４２】
本開示の実施例によれば、電子装置４００は、Ｘ２インターフェースを介して、隣接セルの基地局装置及び他のセルの基地局装置が情報を送信するためのリソースを取得することができる。ここで、電子装置  ４００、隣接セルの基地局装置及び他のセルの基地局装置のうちの各装置は、前記装置によって知られた全ての基地局装置が情報を送信するためのリソースを通知するように、Ｘ２インターフェースを介して前記装置が位置するセルの隣接セルに情報を送信することができる。つまり、以上の各装置について、新しい装置が情報を送信するためのリソースを知った度に、知られた新しい装置が情報を隣接セルに送信するためのリソースを通知するように、Ｘ２インターフェースを介して、位置するセルの隣接セルに情報を送信する。
【００４３】
図６は、本開示の実施例によるＸ２インターフェースを介して全ての基地局装置が情報を送信するためのリソースを取得するシグナリングを示すフローチャートである。図６に示すように、基地局１、基地局２及び基地局３はいずれも、無線通信システムにおける基地局装置であり、そのうち、基地局１が位置するセルと基地局２が位置するセルは隣接セルに属し、基地局２が位置するセルと基地局３が位置するセルは隣接セルに属し、基地局１が位置するセルと基地局３が位置するセルは隣接セルではない。ステップＳ５０１では、基地局１、基地局２及び基地局３のうち各基地局はいずれもＸ２インターフェースを介して、位置するセルの隣接セルに、当該基地局が情報を送信するためのリソースを送信する。即ち、基地局２は基地局１及び基地局３に、基地局２が情報を送信するためのリソースを送信し、基地局１は基地局２に、基地局１が情報を送信するためのリソースを送信し、基地局３は基地局２に、基地局３が情報を送信するためのリソースを送信する。次に、ステップＳ５０２では、基地局１、基地局２及び基地局３はいずれも他の基地局からの情報を送信するためのリソースを受信するため、各基地局はいずれもＸ２インターフェースを介して、位置するセルの隣接セルに、自身が知った全ての基地局が情報を送信するためのリソースを送信する。即ち、基地局１は基地局２に、基地局１及び基地局２が情報を送信するためのリソースを送信し、基地局２は基地局１に、基地局２及び基地局３が情報を送信するためのリソースを送信し、基地局２は基地局３に、基地局１及び基地局２が情報を送信するためのリソースを送信し、基地局３は基地局２に、基地局２及び基地局３が情報を送信するためのリソースを送信する。図６に示すように、このような方法で、基地局１は、基地局２及び基地局３が情報を送信するためのリソースを知ることができ、基地局２は、基地局１及び基地局３が情報を送信するためのリソースを知ることができ、基地局３は基地局１及び基地局２が情報を送信するためのリソースを知ることができる。
【００４４】
これにより、本開示の実施例によれば、Ｘ２インターフェースは隣接セルの基地局の間でのみ情報を伝達することができるため、複数回の伝達方法によって、無線通信システムにおけるいずれかの基地局は無線通信システムにおける全ての基地局が情報を送信するためのリソースを知ることができる。
【００４５】
本開示の実施例によれば、電子装置４００は、Ｓ１インターフェースを介して、隣接セルの基地局装置及び他のセルの基地局装置が情報を送信するためのリソースを取得することができる。ここで、電子装置４００はＳ１インターフェースを介して、コアネットワークにおけるＭＭＥ(Ｍｏｂｉｌｉｔｙ  Ｍａｎａｇｅｍｅｎｔ  Ｅｎｔｉｔｙ、モビリティ管理エンティティ)から隣接セルの基地局装置及び他のセルの基地局装置が情報を送信するためのリソースを取得することができる。本開示の実施例によれば、電子装置４００はＳ１インターフェースを介して、電子装置４００が情報を送信するためのリソースをＭＭＥに報告することができる。このような報告は周期的であってもよいし、イベントによってトリガーされてもよい。このようにして、無線通信システムにおける全ての基地局装置はいずれもＳ１インターフェースを介して、それが情報を送信するためのリソースをＭＭＥに報告し、電子装置４００が全ての基地局装置が情報を送信するためのリソースを取得する必要がある場合に、Ｓ１インターフェースを介してＭＭＥから取得すればよい。
【００４６】
これにより、本開示の実施例によれば、基地局はＳ１インターフェースを介して、直接的にＭＭＥから情報を取得することができ、取得のステップを簡単にし、時間及びシグナリングオーバーヘッドを節約する。
【００４７】
本開示の実施例によれば、電子装置４００がＸ２インターフェース又はＳ１インターフェースを介して、隣接セルの基地局装置及び他のセルの基地局装置が情報を送信するためのリソースを取得する手順は周期的にトリガーされることであってもよい。つまり、電子装置４００は一定の時間間隔で、周期的に、Ｘ２インターフェース又はＳ１インターフェースを介して、隣接セルの基地局装置及び他のセルの基地局装置が情報を送信するためのリソースを取得する。電子装置４００はユーザー装置が被る干渉状況を確定する際に、最も新しく取得された結果を使用すればよい。
【００４８】
また、制御情報について、基地局が制御情報を送信するためのリソースは、基地局の１つ又は複数のパラメータと対応関係がある可能性がある。例えば、基地局がＣＲＳを送信するためのリソースは基地局のＰＣＩ(Ｐｈｙｓｉｃａｌ  Ｃｅｌｌ  Ｉｄｅｎｔｉｆｉｅｒ、物理セル識別子)と対応関係がある。この場合、電子装置４００は隣接セルの基地局装置及び他のセルの基地局装置のパラメータによって隣接セルの基地局装置及び他のセルの基地局装置が情報を送信するためのリソースを取得することができる。隣接セルの基地局装置及び他のセルの基地局装置のパラメータは、電子装置４００に予め記憶されてもよく、電子装置４００によってＳ１インターフェースを介してＭＭＥから一括取得してもよく、更新の必要がない。
【００４９】
本開示の実施例によれば、様々な形式で、情報を送信するためのリソースを表し、例えば、情報を送信するためのスペクトルリソース的番号(番号与スペクトルリソース有一一対応的関係)等。在表示用于送信制御情報的リソース時、一般的に、制御情報を送信するためのリソースはいくつかの固定配置のみがあり、この場合、配置の番号で、制御情報を送信するためのリソースを表してもよい。図３に示す例では、番号０−５で、ＣＲＳを送信するためのリソースを表すことができる。例えば、他の基地局装置が番号０で、ＣＲＳを送信するためのリソースを表す場合に、電子装置４００は当該他の基地局装置がオフセット＝０の配置を使用してＣＲＳを送信すると確定することができ、それによって、当該他の基地局装置がＣＲＳを送信するためのリソースを確定することができる。また、基地局装置が制御情報を送信するためのリソースが基地局装置の１つ又は複数のパラメータと対応関係がある場合に、基地局装置のパラメータで制御情報を送信するためのリソースを表してもよい。例えば、電子装置４００はある基地局装置のＰＣＩを知っていると、ＰＣＩに従って当該基地局装置が制御情報を送信するためのリソースを確定することができる。
【００５０】
これにより、本開示の実施例によれば、干渉確定ユニット４３０は電子装置、隣接セルの基地局装置及び他のセルの基地局装置のＰＣＩに従って、電子装置、  隣接セルの基地局装置及び他のセルの基地局装置が制御情報を送信するためのリソースを確定することができる。
【００５１】
上記のように、本開示の実施例によれば、電子装置４００は様々な実施形態によって、電子装置４００、隣接セルの基地局装置及び他のセルの基地局装置が情報を送信するためのリソースを確定することができ、それにより、電子装置４００のカバレッジ内のユーザー装置が干渉を被るかどうかを確定する。
【００５２】
本開示の実施例によれば、干渉確定ユニット４３０はユーザー装置の位置情報に従って、ユーザー装置が被る干渉状況を確定してもよい。
【００５３】
本開示の実施例によれば、電子装置４００のカバレッジ内のユーザー装置はいずれも、周期的に自身の位置を報告することができ、それによって、電子装置４００はそのカバレッジ内の全てのユーザー装置の位置情報を取得することができる。
【００５４】
本開示の実施例によれば、ユーザー装置は無線通信システムにおける基地局装置の一部の信号のみを受信することができ、例えば、ユーザー装置は、自身から近い基地局装置の信号を受信することができ、ユーザー装置は、自身との間のリンク状況がよい基地局装置の信号などを受信することができるため、電子装置４００は、ユーザー装置が干渉を被るかどうかを確定する際に、ユーザー装置の位置情報も考慮することができる。
【００５５】
本開示の実施例によれば、干渉確定ユニット４３０は、電子装置４００、隣接セルの基地局装置及び他のセルの基地局装置のうちユーザー装置からの距離が距離閾値よりも小さい基地局装置が情報を送信するためのリソースに従って、当該ユーザー装置が被る干渉状況を確定することができる。
【００５６】
本開示の実施例によれば、干渉確定ユニット４３０は、ユーザー装置の位置情報及びユーザー装置の基地局装置からのリンク品質などの情報を統合的に考慮してもよく、それによって、電子装置４００、隣接セルの基地局装置及び他のセルの基地局装置から一部の基地局装置を選択し、一部の基地局装置が情報を送信するためのリソースに従って、当該ユーザー装置が被る干渉状況を確定する。ここで、一部の基地局装置を選択する原則は選択された基地局装置によって送信されるダウンリンク信号がユーザー装置に到着する可能性が高いことであり、つまり、この一部の基地局装置はユーザー装置の潜在的な干渉源である。
【００５７】
これにより、本開示の実施例によれば、電子装置４００は、ユーザー装置が被る干渉状況を確定するときに、一部の基地局装置のみを考慮することができ、手順を簡略化し、シグナリングオーバーヘッドを削減し、多すぎる基地局装置に影響を及ぼすことを回避することができる。
【００５８】
本開示の実施例によれば、干渉確定ユニット４３０は電子装置４００、隣接セルの基地局装置及び他のセルの基地局装置が情報を送信するためのリソースに従って、電子装置４００、隣接セルの基地局装置及び他のセルの基地局装置をグループ化することができる。
【００５９】
ここで、干渉確定ユニット４３０が無線通信システムの全ての基地局装置から、当該ユーザー装置が被る干渉状況を確定するために使用される一部の基地局装置を選択していない場合、干渉確定ユニット４３０は、電子装置４００、隣接セルの基地局装置及び他のセルの基地局装置(実際的に無線通信システムにおける全ての基地局装置)が情報を送信するためのリソースに従って、電子装置４００、隣接セルの基地局装置及び他のセルの基地局装置をグループ化することができる。干渉確定ユニット４３０が無線通信システムの全ての基地局装置から、当該ユーザー装置が被る干渉状況を確定するために使用される一部の基地局装置を選択する場合、干渉確定ユニット４３０はこの一部の基地局装置が情報を送信するためのリソースに従って、一部の基地局装置をグループ化する。
【００６０】
本開示の実施例によれば、干渉確定ユニット４３０は、同じグループにおける装置が情報を送信するためのリソースが同じであるように、上述装置をグループ化することができる。ここで、リソースはスペクトルリソースを含むことができる。
【００６１】
一例として、図１に示すシナリオでは、干渉確定ユニット４３０は無人機装置ＵＡＶの地理的位置に従って、セルラーセルＡ、ａ１、ａ２、ｂ６及びｂ７の基地局装置が無人機装置ＵＡＶの潜在的な干渉基地局であると仮定し、即ち、これらのセルラーセルの基地局装置は無人機装置ＵＡＶから近いか又はこれらのセルラーセルの基地局装置と無人機装置ＵＡＶとの間のリンク品質がよい。すると、干渉確定ユニット４３０はこれらの５つのセルラーセルをグループ化することができる。ここで、セルラーセルＡの基地局装置は番号が１であるスペクトルリソースを使用して情報を送信し、セルラーセルａ１の基地局装置は番号が２であるスペクトルリソースを使用して情報を送信し、セルラーセルａ２の基地局装置は番号が３であるスペクトルリソースを使用して情報を送信し、セルラーセルｂ６の基地局装置は番号が１であるスペクトルリソースを使用して情報を送信し、セルラーセルｂ７の基地局装置は番号が３であるスペクトルリソースを使用して情報を送信すると仮定すると、干渉確定ユニット４３０はこれらの５つのセルラーセルの基地局装置を以下のようにグループ化することができる。
【００６２】
第１のグループ(番号が１であるスペクトルリソースを使用する)：セルラーセルＡの基地局装置；セルラーセルｂ６の基地局装置；
第２のグループ(番号が２であるスペクトルリソースを使用する)：セルラーセルａ１の基地局装置；
第３のグループ(番号が３であるスペクトルリソースを使用する)：セルラーセルａ２の基地局装置；セルラーセルｂ７の基地局装置。
【００６３】
本開示の実施例によれば、干渉確定ユニット４３０はグループ化状況に従って、ユーザー装置が被る干渉状況を確定することができる。具体的に、いずれのグループにも複数の装置が含まれる場合、干渉確定ユニット４３０はユーザー装置が干渉を被ると確定することができる。逆に、全てのグループには１つの装置のみが含まれる場合、干渉確定ユニット４３０はユーザー装置が干渉を被らないと確定することができる。
【００６４】
本開示の実施例によれば、ユーザー装置が干渉を被ると確定するときに、生成ユニット４１０はリソース配置情報を生成することができ、送受信ユニット４２０は隣接セルの基地局装置及び隣接セル以外の他のセルの基地局装置にリソース配置情報を送信することができる。具体的に、送受信ユニット４３０は複数の装置が含まれるグループにある基地局装置にリソース配置情報を送信することができる。上記の例では、第１のグループ及び第３のグループには複数の装置が含まれると、電子装置４００はセルラーセルｂ６の基地局装置、セルラーセルａ２の基地局装置及びセルラーセルｂ７の基地局装置にリソース配置情報を送信することができる。
【００６５】
上記のように、本開示の実施例によれば、あるグループには複数の基地局装置が含まれる場合に、これらの複数の基地局装置が同じリソースを使用してダウンリンク情報を送信することを示し、ユーザー装置はこれらの複数の基地局装置のダウンリンク情報を受信する可能性ああり、干渉を引き起こす。この場合、電子装置４００はこれらの基地局装置に対して、リソース配置情報を生成し、これらの基地局装置に送信して、ダウンリンク情報を送信するリソースを協調することによって、干渉問題を解決することができる。また、他の基地局装置(セルラーセルｂ６の基地局装置)とユーザー装置の現在のサービングセルの基地局装置(セルラーセルＡの基地局装置)はユーザー装置へ干渉を引き起こす可能性が最も高く、既存のセルラーネットワークにおいて隣接セルの間の干渉を回避することができるため、一般に、現在のサービングセルの基地局装置と同じリソースを使用する基地局装置は隣接セル以外のセルの基地局装置である。そのため、本開示の実施例によれば、電子装置４００は隣接セル以外の他のセルの基地局装置のみにリソース配置情報を送信することができる。勿論、いくつかの場合に、複数の非現在のサービングセルの基地局装置がユーザー装置へ干渉を引き起こす場合があり(例えば、セルラーセルａ２の基地局装置及びセルラーセルｂ７の基地局装置)、これらの複数の非現在のサービングセルは現在のサービングセルの隣接セルである可能性があ高いため、電子装置４００は隣接セルの基地局装置にリソース配置情報を送信してもよい。
【００６６】
本開示の実施例によれば、電子装置４００はＸ２インターフェース又はＳ１インターフェースを介してリソース配置情報を送信することができる。例えば、電子装置４００はＳ１インターフェースを介してＭＭＥにリソース配置情報を送信することができ、それによって、他の基地局装置はＳ１インターフェースを介して、ＭＭＥから自身のリソース配置情報を取得してもよい。勿論、リソース配置情報を受信する基地局装置は電子装置４００が位置するセルの隣接セルの基地局装置であれば、電子装置４００はＸ２インターフェースを介してリソース配置情報を送信してもよく、本開示はこれを限定しない。
【００６７】
本開示の実施例によれば、生成ユニット４１０はリソース配置情報を生成する際に、同じグループにある装置が、情報を送信するためのリソースを多重化するようにすることができる。
【００６８】
本開示の実施例によれば、あるグループには複数の装置が含まれる場合に、これらの複数の装置が同じリソースを使用して情報を送信するため、干渉問題を解決するために、複数の装置が同じリソースを多重化する必要がある。あるグループには１つの装置が含まれる場合に、多重化の主体は１つのみであるため、当該装置は、元の方法に従って元のリソースを使用して情報を送信することができ、即ち、当該装置に対してリソース配置情報を生成する必要がない。
【００６９】
本開示の実施例によれば、多重化の方法は、時分割多重化、周波数分割多重化及び空間分割多重化を含むことができる。以下、これらの３つの多重化方法について詳細に説明する。
【００７０】
同じグループにおける複数の装置は情報を送信するためのリソースを時分割多重化する場合に、これらの複数の装置は、異なる装置がリソースを使用する時間が異なるように、周期的に上記のような情報を送信するリソースを使用することができる。生成ユニット４１０はリソース配置情報を生成することができ、例えば、リソースを使用する周期及び開始の時間などのパラメータを含むことができる。
【００７１】
図７は、本開示の実施例による同じグループの基地局装置の情報を送信するためのリソースを時分割多重化する概略図を示す。ここで、図７は、ＣＲＳを例として２つの基地局装置が情報を送信するためのリソースを時分割多重化する概略図を示す。図７に示すように、時間領域には４つのサブフレームが含まれ、周波数領域には２４個のサブキャリア(即ち、２つのＲＢが占用するスペクトル)が含まれるリソース使用状況が示される。ここで、２つの基地局装置はオフセット＝０の配置を使用してＣＲＳを送信することが想定される。時分割多重化を使用した後、左に傾いたストライプで満たされた正方形は、１番目の基地局装置がＣＲＳを送信するＲＥを示し、右に傾いたストライプで満たされた正方形は、２番目の基地局装置がＣＲＳを送信するＲＥを示す。これにより、２つの基地局装置は２つのサブフレームを周期としてＣＲＳを送信し、２つの基地局装置の開始時間は異なり、その中、１番目の基地局装置は１番目のサブフレームから開始して、２つのサブフレームを周期としてＣＲＳを送信し、２番目の基地局装置は２番目のサブフレームから開始して、２つのサブフレームを周期としてＣＲＳを送信する。周波数領域において、２つの基地局装置は同じスペクトルリソースを使用してＣＲＳを送信する。このようにして、２つの基地局装置がＣＲＳを送信する時間は異なり、ユーザー装置は２つの基地局装置からのＣＲＳを同時に受信することがなく、干渉が回避される。
【００７２】
なお、図７は２つの基地局装置がＣＲＳを送信する場合のみを示したが、ＣＲＳ以外の制御情報及びデータ情報の送信、及びより多くの基地局装置の場合についても、同様であり、ここで再度説明しない。
【００７３】
同じグループにおける複数の装置が、情報を送信するためのリソースを周波数分割多重化する場合、これらの装置は異なるスペクトルリソースによって、上記の情報を送信するためのリソースを使用することができる。生成ユニット４１０はリソース配置情報を生成することができ、例えば、スペクトルリソースの番号などの情報を含んでもよい。
【００７４】
図８は、本開示の実施例による同じグループ基地局装置の情報を送信するためのリソースを周波数分割多重化する概略図を示す。ここで、図８はＣＲＳを例として、２つの基地局装置が、情報を送信するためのリソースを周波数分割多重化する概略図を示す。図８に示すように、時間領域には４つのサブフレームが含まれ、周波数領域には２４個のサブキャリア(即ち、２つのＲＢが占用するスペクトル)が含まれるリソース使用状況が示される。ここで、２つの基地局装置は「オフセット＝０」の配置を使用してＣＲＳを送信することが想定される。周波数分割多重化を使用した後、左に傾いたストライプで満たされた正方形は、１番目の基地局装置がＣＲＳを送信するＲＥを示し、右に傾いたストライプで満たされた正方形は、２番目の基地局装置がＣＲＳを送信するＲＥを示す。これにより、２つの基地局装置が使用するスペクトルリソースは異なり、１番目の基地局装置は、図８の上部のスペクトルリソースを使用し、２番目の基地局装置は、図８の下部のスペクトルリソースを使用する。時間領域において、２つの基地局装置が使用する時間領域リソースは同じであり、即ち、各サブフレームの各タイムスロットでＣＲＳを送信する。このようにして、２つの基地局装置がＣＲＳを送信するスペクトルリソースは異なり、ユーザー装置は同じスペクトルリソースで２つの基地局装置からのＣＲＳを受信することがなく、干渉が回避される。
【００７５】
なお、図８は２つの基地局装置がＣＲＳを送信する場合のみを示したが、ＣＲＳ以外の制御情報及びデータ情報の送信、及びより多くの基地局装置の場合についても、同様であり、ここで再度説明しない。
【００７６】
同じグループにおける複数の装置が、情報を送信するためのリソースを空間分割多重化する場合に、これらの複数の装置は、異なる装置によって送信されるビームが異なるように、異なる方向のビームで情報を送信するためのリソースを使用することができる。生成ユニット４１０はリソース配置情報を生成することができ、例えば、ビーム番号や方向などの情報を含むことができる。
【００７７】
図９は、本開示の実施例による同じグループ基地局装置の情報を送信するためのリソースを空間分割多重化する概略図を示す。図９に示すように、基地局１及び基地局２は同じリソースを使用して無人機装置にダウンリンク情報を送信することが想定される。空間分割多重化を行った後、２つの基地局はダウンリンク情報をビーム形成して、異なる方向のビームを使用して情報を送信し、これらの２つの基地局装置は周波数領域において同じリソースを使用し、時間領域全体で使用する。このようにして、ユーザー装置は、ダウンリンク情報を受信するときにビーム方向に従って、送信される基地局装置を確定し、それによって、干渉が回避される。
【００７８】
以上のように、同じグループにおける基地局装置が多重化を実行する各実施例について詳述したが、勿論、本開示では、多重化の方法は時分割多重化、周波数分割多重化及び空間分割多重化に限定されず、ユーザー装置が情報を正しく受信し干渉を回避するように、情報を送信するためのリソースを多重化することができるものであればよい。
【００７９】
本開示の実施例によれば、制御情報の場合に、生成ユニット４１０は、隣接セルの基地局装置及び隣接セル以外の他のセルの基地局装置が他の無人機装置にサービングするかどうかに従って、リソース配置情報を生成してもよい。具体的に、あるグループには複数の装置が含まれ、これらの複数の装置のうち１つ以上の装置が任意の無人機装置にサービスを提供しない場合に、生成ユニット４１０は、これらの１つ以上の装置が例えば基準信号などの任意の制御情報を送信しないように、これらの１つ以上の装置に対してリソース配置情報を生成することができる。例えば、これらの１つ以上の装置に対して生成したリソース配置情報は、制御情報を送信しないようにするシグナリングを含むことができる。さらに、生成ユニット４１０は、当該グループのうちこれらの１つ以上の装置以外の装置が、情報を送信するためのリソースを多重化するように、当該グループのうちこれらの１つ以上の装置以外の装置に対してリソース配置情報を生成することができる。
【００８０】
一例として、上記した例では、第１のグループ(番号が１であるスペクトルリソースを使用する)では、セルラーセルｂ６の基地局装置は任意の無人機装置にサービスを提供しないと仮定すると、生成ユニット４１０はセルラーセルｂ６の基地局装置に対してリソース配置情報を生成して、セルラーセルｂ６の基地局装置は任意の制御情報を送信せず、セルラーセルＡの基地局装置は、番号が１であるスペクトルリソースを継続して使用するようにする。ここで、セルラーセルｂ６の基地局装置に加えて複数の装置が第１のグループには含まれれば、これらの複数の装置は本開示の各実施例に従って、番号が１であるスペクトルリソースを多重化することができる。
【００８１】
上記のように、本開示の実施例によれば、基地局装置が無人機装置にサービスを提供しない場合、リソース配置情報を生成して当該基地局装置を「オフ」にすることができ、それにより、多重化する基地局装置の数を減らし、干渉を回避しながら多重化の效果を向上する。
【００８２】
以下、１つの具体的な実施例に基づいて上記したリソース多重化方法を説明する。図１０は、本開示の実施例による基地局装置をグループ化する概略図を示す。図１０に示すように、セルラーセルＡ、ａ１、ａ２、ｂ６及びｂ７の基地局装置は無人機装置ＵＡＶの潜在的な干渉基地局であり、干渉確定ユニット４３０はこれらの５つのセルラーセルを次のようにグループ化することができ、
第１のグループ(番号が１であるスペクトルリソースを使用する)：セルラーセルＡの基地局装置；セルラーセルｂ６の基地局装置；
第２のグループ(使用番号が２であるスペクトルリソースを使用する)：セルラーセルａ１の基地局装置；
第３のグループ(番号が３であるスペクトルリソースを使用する)：セルラーセルａ２の基地局装置；セルラーセルｂ７の基地局装置。
【００８３】
図１１は、本開示の実施例による図１０における各グループ基地局装置の情報を送信するためのリソースを時分割多重化する概略図を示す。図１１に示すように、第１のグループでは、セルラーセルｂ６の基地局装置が任意の無人機装置にサービスを提供しないと仮定すると、生成ユニット４１０はセルラーセルｂ６の基地局装置に対してリソース配置情報を生成することができ、セルラーセルｂ６の基地局装置は任意の制御情報を送信せず、セルラーセルＡの基地局装置は番号が１であるスペクトルリソースを継続して使用することができるようにする。つまり、セルラーセルＡの基地局装置は常に番号が１であるスペクトルリソースを使用して情報を送信することができ、セルラーセルｂ６の基地局装置は番号が１であるスペクトルリソースを使用して情報を送信することができなく、即ち、「オフ」状態である。第２のグループでは、１つのセルラーセルの基地局装置しかないため、セルラーセルａ１の基地局装置は常に番号が２であるスペクトルリソースを使用して情報を送信することができる。第３のグループでは、セルラーセルａ２の基地局装置及びセルラーセルｂ７の基地局装置は番号が３であるスペクトルリソースを時分割多重化し、即ち、周期的に「オフ」状態である。図１１に示すように、セルラーセルａ２の基地局装置及びセルラーセルｂ７の基地局装置は周期的に、番号が３であるスペクトルリソースを使用して情報を送信することができ、また、使用する時間がずれる。上記のように、図１１に示すような多重化方法に従って、図１０において、無人機装置ＵＡＶの潜在的な干渉基地局は、無人機装置ＵＡＶにダウンリンク干渉を引き起こすことがない。なお、図１１には時分割多重化の方法のみを示したが、他の多重化方法も同様である。
【００８４】
本開示の実施例によれば、電子装置４００は配置ユニット４４０を含んでもよい。生成ユニット４１０は電子装置４００に対してもリソース配置情報を生成するときに、生成ユニット４１０は電子装置４００に対するリソース配置情報を配置ユニット４４０に送信することができ、配置ユニット４４０はリソース配置情報に従って、電子装置４００が情報を送信するためのリソースを配置するようにする。
【００８５】
本開示の実施例によれば、電子装置４００の送受信ユニット４２０は、ユーザー装置が全部又は一部の基地局装置のリソース配置状況を知るように、生成ユニット４１０によって生成される全てのリソース配置情報をユーザー装置に送信してもよく、情報検出及びセル切り替えなどを容易にする。
【００８６】
図１２は、本開示の実施例によるダウンリンク干渉シナリオに使用されるシグナリングを示すフローチャートである。図１２に示すように、ステップＳ９０１では、現在のサービングセルの基地局装置は全ての基地局装置が情報を送信するためのリソースを取得する。次に、ステップＳ９０２では、現在のサービングセルの基地局装置は全ての基地局装置が情報を送信するためのリソースに従って、全ての基地局装置をグループ化し、そして、リソース配置が必要な基地局装置に対してリソース配置情報を生成する。ここで、隣接セル以外の他のセルの基地局装置に対してリソース配置情報を生成することが想定される。次に、ステップＳ９０３では、現在のサービングセルの基地局装置は隣接セル以外の他のセルの基地局装置にリソース配置情報を送信する。次に、ステップＳ９０４では、現在のサービングセルの基地局装置はユーザー装置に、生成された全てのリソース配置情報を送信する。
【００８７】
これにより、本開示の実施例によれば、ダウンリンク干渉シナリオでは、ユーザー装置の現在のサービングセルの基地局装置は、ユーザー装置が被る干渉状況に従って、複数の基地局装置に対してリソース配置情報を生成することができ、複数の基地局装置に、複数の基地局装置が、情報を送信するためのリソースを配置するためにリソース配置情報を送信することができる。このようにして、ユーザー装置がダウンリンク情報の干渉を被ることが回避されることができる。また、これらの複数の基地局装置はユーザー装置の現在のサービングセル以外のセルの基地局装置であってもよく、非隣接セル(地理的位置で隣接する)の基地局装置の間で情報を送信するためのリソースを協調し、干渉協調のための新しいアイデアを提供する。
【００８８】
＜３．アップリンク干渉シナリオの基地局側の配置例＞
以上、本開示の実施例によるダウンリンク干渉シナリオについて詳細に説明した。以下、本開示の実施例によるアップリンク干渉シナリオについて詳細に説明する。
【００８９】
まだ、図５に示される本開示の実施例による電子装置４００の構成のブロック図を例としてアップリンク干渉の除去について説明する。同様に、ここで、電子装置４００は無線通信システムにおける基地局装置であってもよく、当該無線通信システムは複数の基地局装置及び複数の無人機装置を含んでもよい。電子装置４００の各ユニットはいずれも処理回路に含まれてもよい。なお、電子装置４００は１つの処理回路を含んでもよいし、複数の処理回路を含んでもよい。さらに、処理回路は、様々な異なる機能及び／又は動作を実行するように、様々な別個の機能ユニットを含むことができる。なお、これらの機能ユニットは物理エンティティ又は論理エンティティであってもよく、異なる呼称のユニットは同一のエンティティによって実現してもよい。
【００９０】
本開示の実施例によれば、生成ユニット４１０は電子装置４００が被る干渉状況に従ってリソース配置情報を生成してもよい。
【００９１】
本開示の実施例によれば、送受信ユニット４２０は電子装置４００が位置するセルの隣接セル以外の他のセル的基地局装置に、他のセルの基地局装置がそのユーザー装置の情報を送信するためのリソースを配置するためにリソース配置情報を送信することができ、ユーザー装置の現在の高度は高度閾値よりも高い。
【００９２】
ダウンリンク干渉のシナリオと同様に、ここで、ユーザー装置は無人機装置であってもよく、ユーザー装置の現在の高度が高度閾値よりも高い場合に、当該ユーザー装置は通常のＵＥとして見なすことができない。
【００９３】
上記のように、本開示の実施例によれば、電子装置４００は、被った干渉状況に従ってリソース配置情報を生成して、電子装置４００が位置するセルの隣接セル以外の他のセルの基地局装置に送信することができる。このようにして、電子装置４００は、アップリンク干渉を回避するように、情報を送信するためのリソースを電子装置４００が位置するセルの隣接セル以外の他のセルの基地局装置と協調することができる。
【００９４】
本開示の実施例によれば、干渉確定ユニット４３０は電子装置４００が被った干渉状況を確定することができる。具体的に、干渉確定ユニット４３０は電子装置４００からの距離が距離閾値よりも小さいユーザー装置が情報を送信するためのリソースに従って、電子装置４００が被った干渉状況を確定することができる。
【００９５】
本開示の実施例によれば、ユーザー装置によって送信される情報はデータ情報と制御情報を含むことができる。制御情報は基準信号を含んでもよい。つまり、電子装置４００はデータ情報に対する電子装置４００が被った干渉状況を確定しようとする場合に、電子装置４００からの距離が距離閾値よりも小さいユーザー装置がデータ情報を送信するためのリソースに従って確定することができ、電子装置４００は制御情報に対する電子装置４００が被った干渉状況を確定しようとする場合に、電子装置４００からの距離が距離閾値よりも小さいユーザー装置が制御情報を送信するためのリソースに従って確定することができる。
【００９６】
本開示の実施例によれば、実際の状況に応じて合理的に距離閾値を設定して、電子装置４００がそれによって送信されるアップリンク情報を受信する可能性があるユーザー装置を選択することができる。つまり、距離閾値に従って選択されたユーザー装置は電子装置４００に関する潜在的な干渉源である。
【００９７】
本開示の実施例によれば、送受信ユニット４２０は、電子装置４００からの距離が距離閾値よりも小さいユーザー装置の現在のサービングセルの基地局装置からユーザー装置が情報を送信するためのリソースを受信することができる。一例として、図２に示す例では、ＵＡＶ１の現在のサービングセルがセルラーセルｂ７であり、ＵＡＶ２の現在のサービングセルがセルラーセルｂ９であると仮定する。本開示の実施例によれば、セルラーセルＡの基地局装置はセルラーセルｂ７の基地局装置からＵＡＶ１が情報を送信するためのリソースを受信することができ、セルラーセルｂ９の基地局装置からＵＡＶ２が情報を送信するためのリソースを受信することができる。
【００９８】
本開示の実施例によれば、送受信ユニット４２０は、Ｓ１インターフェースを介して、電子装置４００からの距離が距離閾値よりも小さいユーザー装置の現在のサービングセルの基地局装置によって送信されるユーザー装置が情報を送信するためのリソースを受信することができる。電子装置４００からの距離が距離閾値よりも小さいユーザー装置の現在のサービングセルが電子装置４００が位置するセルの隣接セルである場合に、送受信ユニット４２０は、Ｘ２インターフェースを介して、ユーザー装置が情報を送信するためのリソースを受信してもよい。
【００９９】
本開示の実施例によれば、無線通信システムにおける各基地局装置はいずれも、それによってサービングされるユーザー装置が情報を送信するためのリソースを当該ユーザー装置からの距離が距離閾値よりも小さい基地局装置に送信することができる。これは同様に、Ｓ１インターフェース又はＸ２インターフェースによって実現することができる。
【０１００】
ここで、ユーザー装置は周期的に、それにサービスを提供する基地局装置にユーザー装置の位置情報を報告することができ、それと同時に、基地局装置はＸ２インターフェース又はＳ１インターフェースを介して、当該基地局装置が位置するセルの隣接セルの基地局装置及び、当該基地局装置が位置するセルの隣接セル以外の他のセルの基地局装置の位置情報を知っていることによって、ユーザー装置からの距離が距離閾値よりも小さい全ての基地局装置を確定することができる。まだ、一例として、図２に示す例では、ＵＡＶ１の現在のサービングセルｂ７の基地局装置は、ＵＡＶ１からの距離が距離閾値よりも小さい基地局装置がセルラーセルＡ、ａ１、ｂ８及びａ２であると確定すると仮定すれば、これらの４つのセルの基地局装置に、ＵＡＶ１が情報を送信するためのリソースを送信することができる。このような方法で、セルラーセルＡの基地局装置は、それからの距離が距離閾値よりも小さい全てのユーザー装置が情報を送信するためのリソースを取得することができる。
【０１０１】
本開示の実施例によれば、電子装置４００からの距離が距離閾値よりも小さい複数のユーザー装置が情報を送信するためのリソースが同じである場合に、干渉確定ユニット４３０は電子装置４００が干渉を被ったと確定することができる。ここで、情報を送信するためのリソースは情報を送信するためのスペクトルリソースを含むことができる。例えば、複数のユーザー装置が情報を送信するためのスペクトルリソースが同じである場合に、干渉確定ユニット４３０は、電子装置４００が干渉を被ったと確定することができる。一例として、図２に示す例では、ＵＡＶ１及びＵＡＶ２のセルラーセルＡの基地局装置からの距離がともに距離閾値よりも小さく、ＵＡＶ１及びＵＡＶ２がアップリンク情報を送信するためのリソースが同じであるため、セルラーセルＡの基地局装置はＵＡＶ１及びＵＡＶ２からのアップリンク情報を受信することができ、干渉を引き起こす。
【０１０２】
本開示の実施例によれば、電子装置４００が干渉を被ったときに、生成ユニット４１０は干渉を引き起こす複数のユーザー装置のうち一部のユーザー装置又は全部のユーザー装置の現在のサービングセルの基地局装置に対してリソース配置情報を生成することができ、さらに、送受信ユニット４２０は対応する基地局装置に、対応する基地局装置がそのユーザー装置の情報を送信するためのリソースを再配置するためにリソース配置情報を送信することができる。
【０１０３】
本開示の実施例によれば、生成ユニット４１０は、干渉を引き起こす複数のユーザー装置のうち全部のユーザー装置に対してリソース配置情報を生成することができる。ここで、リソース配置情報は干渉を引き起こすユーザー装置の識別子情報などを含むことができ、リソース配置情報を受信する基地局装置はユーザー装置に対して情報を送信するためのリソースを再割当し、例えば、ユーザー装置に対してアップリンク情報を送信するためのスペクトルリソースを再割当するようにする。図２に示す示例では、セルラーセルＡの基地局装置はセルラーセルｂ７の基地局装置に対して、ＵＡＶ１の識別子情報が含まれるリソース配置情報を生成することができる。セルラーセルｂ７の基地局装置はこのようなリソース配置情報を受信した後に、ＵＡＶ１がセルラーセルＡの基地局装置へ干渉を引き起こすことを知っていることで、ＵＡＶ１に対してアップリンク情報を送信するためのスペクトルリソースを再割当する。同様に、セルラーセルＡの基地局装置はセルラーセルｂ９の基地局装置に対して、ＵＡＶ２の識別子情報が含まれるリソース配置情報を生成することができる。セルラーセルｂ９の基地局装置はこのようなリソース配置情報を受信した後、ＵＡＶ２がセルラーセルＡの基地局装置へ干渉を引き起こすことを知っていることで、ＵＡＶ２に対して、アップリンク情報を送信するためのスペクトルリソースを再割当する。
【０１０４】
本開示の実施例によれば、生成ユニット４１０は、干渉を引き起こす複数のユーザー装置のうち一部のユーザー装置に対してリソース配置情報を生成することができる。例えば、干渉を引き起こすユーザー装置の数はＮ(Ｎが１よりも大きい整数である)であれば、生成ユニット４１０はそのうちＮ−１個のユーザー装置に対してリソース配置情報を生成することができる。つまり、これらの複数のユーザー装置のうち１つのユーザー装置はリソースを再割当する必要がないものである。図２に示す例では、セルラーセルＡの基地局装置はセルラーセルｂ７の基地局装置に対してリソース配置情報を生成することができ、セルラーセルｂ９の基地局装置に対してリソース配置情報を生成しない。任意選択で、セルラーセルＡの基地局装置はセルラーセルｂ９の基地局装置に対してリソース配置情報を生成して、セルラーセルｂ７の基地局装置に対してリソース配置情報を生成しないようにしてもよい。このようにして、生成されるリソース配置情報の数を低減することができ、それにより、シグナリングオーバーヘッドを削減して、多すぎるユーザー装置に影響を及ぼすことを回避する。
【０１０５】
上記のように、本開示の実施例によれば、基地局装置からの距離が近い複数のユーザー装置が同じリソースを使用してアップリンク情報を送信する場合に、基地局装置は複数のユーザー装置によって送信されるアップリンク情報を受信することができ、それにより、干渉を引き起こす。この場合、電子装置４００はこれらのユーザー装置のうち全部のユーザー装置又は一部のユーザー装置に対してリソース配置情報を生成し、対応する基地局装置に送信して、アップリンク情報を送信するためのリソースを協調することによって、干渉問題を解決することができる。ここで、干渉を引き起こすユーザー装置は電子装置４００が位置するセルのもの、電子装置４００が位置するセルの隣接セルのもの、又は電子装置４００が位置するセルの隣接セル以外のセルのものであり得る。そのため、本開示の実施例によれば、電子装置４００は電子装置４００が位置するセルの隣接セル以外の他のセルの基地局装置にリソース配置情報を送信することができる。さらに、電子装置４００は、電子装置４００が位置するセルの隣接セルの基地局装置にリソース配置情報を送信してもよい。
【０１０６】
本開示の実施例によれば、電子装置４００は、Ｘ２インターフェース又はＳ１インターフェースを介してリソース配置情報を送信することができる。例えば、電子装置４００はＳ１インターフェースを介してＭＭＥにリソース配置情報を送信することができ、これにより、他の基地局装置はＳ１インターフェースを介してＭＭＥから自身のリソース配置情報を取得することができる。勿論、リソース配置情報を受信する基地局装置は電子装置４００が位置するセルの隣接セルの基地局装置であれば、電子装置４００はＸ２インターフェースを介してリソース配置情報を送信してもよく、本開示はこれを限定しない。
【０１０７】
また、干渉を引き起こすユーザー装置が電子装置４００が位置するセルのものである場合に、生成ユニット４１０は、電子装置４００がそのユーザー装置の情報を送信するためのリソースを再配置するように、電子装置４００に対してリソース配置情報を生成してもよい。
【０１０８】
図１３は本開示の実施例によるアップリンク干渉シナリオに使用されるシグナリングを示すフローチャートである。図１３に示すように、ステップＳ１００１では、ユーザー装置の現在のサービングセルの基地局装置は無線通信システムにおける全ての基地局装置の位置情報を取得することができ、ユーザー装置からの距離が距離閾値よりも小さい基地局装置を確定する。次に、ステップＳ１００２では、現在のサービングセルの基地局装置は、ユーザー装置からの距離が距離閾値よりも小さい基地局装置にユーザー装置が情報を送信するためのリソースを送信し、ここで、隣接セル以外の他のセルの基地局装置が上記の情報を送信するためのリソースを受信したと仮定する。次に、ステップＳ１００３では、隣接セル以外の他のセルの基地局装置は当該基地局装置を被るかどうかを確定し、干渉を被ったときにリソース配置情報を生成する。ここで、ユーザー装置は隣接セル以外の他のセルの基地局装置への干渉を引き起こすと仮定する。次に、ステップＳ１００４では、現在のサービングセルの基地局装置にリソース配置情報を送信する。次に、ステップＳ１００５では、現在のサービングセルの基地局装置はユーザー装置に対してリソース配置を行い、即ち、ユーザー装置の情報を送信するためのリソースを再配置する。上記したように、隣接セル以外の他のセルの基地局装置への干渉を引き起こすユーザー装置に対して、情報を送信するためのリソースを置き換え、それにより、隣接セル以外の他のセルの基地局装置が被るアップリンク干渉を回避する。
【０１０９】
これにより、本開示の実施例によれば、アップリンク干渉シナリオでは、基地局装置は、近くのユーザー装置が情報を送信するためのリソースに従って、基地局装置が被る干渉状況を確定し、干渉を引き起こすユーザー装置にサービングする基地局装置に、基地局装置が干渉を引き起こすユーザー装置に対してリソースを再配置するためにリソース配置情報を送信することができる。このようにして、基地局装置がアップリンク情報の干渉を被ることを回避することができる。なお、干渉を引き起こすユーザー装置の現在のサービングセルは、干渉を被った基地局装置の隣接セル以外の他のセルであってもよく、非隣接セルの基地局装置の間で情報を送信するためのリソースを協調し、干渉協調のための新しいアイデアを提供する。
【０１１０】
＜４．方法実施例＞
次に、本開示の実施例による無線通信システムにおける電子装置によって実行される無線通信方法について詳細に説明する。ここで、電子装置は電子装置４００であってもよい。そのため、電子装置４００に関する上記の実施形態は全て、ここに適用可能である。
【０１１１】
図１４は本開示の実施例による無線通信システムにおける電子装置によって実行される無線通信方法を示すフローチャートである。
【０１１２】
図１４に示すように、ステップＳ１１１０では、ユーザー装置が被る干渉状況に従ってリソース配置情報を生成し、ユーザー装置の現在の高度が高度閾値よりも高い。
【０１１３】
次に、ステップＳ１１２０では、ユーザー装置の現在のサービングセルの隣接セル以外の他のセルの基地局装置に、他のセルの基地局装置が情報を送信するためのリソースを配置するためにリソース配置情報を送信する。
【０１１４】
好ましくは、方法はさらに、電子装置、隣接セルの基地局装置及び他のセルの基地局装置が情報を送信するためのリソースに従って、ユーザー装置が被る干渉状況を確定することを含む。
【０１１５】
好ましくは、方法はさらに、電子装置、隣接セルの基地局装置及び他のセルの基地局装置の物理セル識別子ＰＣＩに従って、電子装置、隣接セルの基地局装置及び他のセル的基地局装置が情報を送信するためのリソースを確定することを含む。
【０１１６】
好ましくは、方法はさらに、Ｘ２インターフェースを介して、隣接セルの基地局装置及び他のセルの基地局装置が情報を送信するためのリソースを取得することを含む。
【０１１７】
好ましくは、方法はさらに、Ｓ１インターフェースを介して、隣接セルの基地局装置及び他のセルの基地局装置が情報を送信するためのリソースを取得することを含む。
【０１１８】
好ましくは、方法はさらに、電子装置、隣接セルの基地局装置及び他のセルの基地局装置が情報を送信するためのリソースに従って、電子装置、隣接セルの基地局装置及び他のセルの基地局装置をグループ化することを含む。
【０１１９】
好ましくは、方法はさらに、同じグループにある装置が情報を送信するためのリソースを多重化するように、リソース配置情報を生成することを含む。
【０１２０】
好ましくは、方法はさらに、同じグループにある装置が情報を送信するためのリソースを時分割多重化、周波数分割多重化又は空間分割多重化するように、リソース配置情報を生成することを含む。
【０１２１】
好ましくは、方法はさらに、ユーザー装置の位置情報に従って、ユーザー装置が被る干渉状況を確定することを含む。
【０１２２】
好ましくは、他のセルの基地局装置によって送信される情報は、データ情報と制御情報を含む。
【０１２３】
好ましくは、制御情報は基準信号を含む。
【０１２４】
好ましくは、電子装置は無線通信システムにおける基地局装置として使用され、ユーザー装置は無人機装置である。
【０１２５】
図１５は本開示の他の実施例による無線通信システムにおける電子装置によって実行される無線通信方法を示すフローチャートである。
【０１２６】
図１５に示すように、ステップＳ１２１０では、電子装置が被る干渉状況に従ってリソース配置情報を生成する。
【０１２７】
次に、ステップＳ１２２０では、電子装置が位置するセルの隣接セル以外の他のセルの基地局装置に、他のセルの基地局装置が情報を送信するためのそのユーザー装置のリソースを配置するためにリソース配置情報を送信し、ユーザー装置の現在の高度が高度閾値よりも高い。
【０１２８】
好ましくは、方法はさらに、電子装置からの距離が距離閾値よりも小さいユーザー装置が情報を送信するためのリソースに従って、電子装置が被る干渉状況を確定することを含む。
【０１２９】
好ましくは、方法はさらに、電子装置からの距離が距離閾値よりも小さいユーザー装置の現在のサービングセルの基地局装置が、ユーザー装置が情報を送信するためのリソースを受信することを含む。
【０１３０】
好ましくは、方法はさらに、電子装置からの距離が距離閾値よりも小さい複数のユーザー装置が情報を送信するためのリソースが同じである場合に、電子装置が干渉を被ると確定することを含む。
【０１３１】
好ましくは、方法はさらに、電子装置が干渉を被ったときに、複数のユーザー装置のうち一部のユーザー装置又は全部のユーザー装置の現在のサービングセルの基地局装置に、基地局装置が情報を送信するためのそのユーザー装置のリソースを再配置するためにリソース配置情報を送信することを含む。
【０１３２】
好ましくは、ユーザー装置によって送信される情報はデータ情報と制御情報を含む。
【０１３３】
好ましくは、制御情報は基準信号を含む。
【０１３４】
好ましくは、電子装置は無線通信システムにおける基地局装置として使用され、ユーザー装置は無人機装置である。
【０１３５】
本開示の実施例によれば、上述方法を実行する主体は、本開示の実施例による電子装置４００であってもよく、そのため、電子装置４００に関する上記の実施例は全て、ここに適用可能である。
【０１３６】
＜５．適用例＞
本開示の技術は様々な製品に適用することができる。例えば、基地局は、例えばマクロｅＮＢや小ｅＮＢなどの任意のタイプのｅＮＢとして実現されることができ、任意のタイプのｇＮＢ（５Ｇシステムにおける基地局）として実現されることもできる。小ｅＮＢは、例えばピコｅＮＢ、マイクロｅＮＢや家庭(フェムト)ｅＮＢなどの、マクロセルよりも小さいセルをカバーできるｅＮＢであってもよい。その代わりに、基地局は、例えばＮｏｄｅＢと基地局トランシーバ(ＢＴＳ)のような任意の他のタイプの基地局として実現されてもよい。基地局は、無線通信を制御するように配置される主体(基地局装置とも呼ばれる)と、主体と異なるところに設けられる１つ又は複数のリモート無線ヘッド(ＲＲＨ)とを含んでもよい。
【０１３７】
（第１の適用例)
図１６は、本開示の技術を適用できるｅＮＢの概略配置の第１の例を示すブロック図である。ｅＮＢ１３００は１つ又は複数のアンテナ１３１０及び基地局装置１３２０を含む。基地局装置１３２０と各アンテナ１３１０はＲＦケーブルを介して互いに接続されてもよい。
【０１３８】
アンテナ１３１０のそれぞれは単一又は複数のアンテナ素子(例えば多入力多出力(ＭＩＭＯ)アンテナに含まれる複数のアンテナ素子)を含み、基地局装置１３２０の無線信号の送受信に使用される。図１６に示すように、ｅＮＢ１３００は複数のアンテナ１３１０を含んでもよい。例えば、複数アンテナ１３１０はｅＮＢ１３００に使用される複数の周波数帯域と互換性があり得る。図１６に、ｅＮＢ１３００が複数のアンテナ１３１０を含む例を示したが、ｅＮＢ１３００が単一のアンテナ１３１０を含んでもよい。
【０１３９】
基地局装置１３２０は、コントローラ１３２１、メモリ１３２２、ネットワークインターフェース１３２３及び無線通信インターフェース１３２５を含むことができる。
【０１４０】
コントローラ１３２１は例えばＣＰＵ又はＤＳＰであり、基地局装置１４２０の上位層の各種機能を動作させることができる。例えば、コントローラ１３２１は無線通信インターフェース１３２５で処理された信号におけるデータに基づいてデータパケットを生成し、ネットワークインターフェース１３２３を介して、生成されたパケットを伝送する。コントローラ１３２１は複数のベースバンドプロセッサからのデータをバンドルして、バンドルパケットを生成し、生成されたバンドルパケットを伝送することができる。コントローラ１３２１は、以下のような制御を実行する論理機能を有してもよく、これらの制御は例えば、無線リソース制御、無線ベアラ制御、モビリティ管理、受付制御、スケジューリングなどである。これらの制御は近くのｅＮＢ又はコアネットワークノードと連携して実行することができる。メモリ１３２２はＲＡＭとＲＯＭを含み、コントローラ１３２１によって実行されるプログラムや各種制御データ(例えば、端末リスト、送信電力データ及びスケジューリングデータ)が記憶される。
【０１４１】
ネットワークインターフェース１３２３は、基地局装置１３２０をコアネットワーク１３２４の通信インターフェースに接続するためのものである。コントローラ１３２１は、ネットワークインターフェース１３２３を介してコアネットワークノード又は別のｅＮＢと通信することができる。この場合、ｅＮＢ１３００とコアネットワークノード又は他のｅＮＢとは、論理インターフェース(例えばＳ１インターフェースとＸ２インターフェース)によって互いに接続される。ネットワークインターフェース１３２３は、有線通信インターフェース又は無線バックホール回線用の無線通信インターフェースであってもよい。ネットワークインターフェース１３２３が無線通信インターフェースであれば、無線通信インターフェース１３２５によって使用される周波数帯域と比べると、ネットワークインターフェース１３２３はより高い周波数領域を無線通信に使用することができる。
【０１４２】
無線通信インターフェース１３２５は任意のセルラー通信方式(例えば、長期的な進化(ＬＴＥ)及びＬＴＥー先進)をサポートし、アンテナ１３１０を介して、ｅＮＢ１３００のセルに位置する端末への無線接続を提供する。無線通信インターフェース１３２５は通常、例えばベースバンド(ＢＢ)プロセッサ１３２６とＲＦ回路１３２７を含むことができる。ＢＢプロセッサ１３２６は例えば、符号化／復号化、変調／復調、多重化／多重化解除を実行するとともに、レイヤー(例えばＬ１、メディアアクセス制御(ＭＡＣ)、無線リンク制御(ＲＬＣ)、パケットデータアグリゲーションプロトコル(ＰＤＣＰ))の各タイプの信号処理を実行することができる。コントローラ１３２１の代わりに、ＢＢプロセッサ１３２６は、上記した論理機能の一部又は全部を有してもよい。ＢＢプロセッサ１３２６は、通信制御プログラムが記憶されるメモリであってもよく、或いは、プログラムを実行するように配置されるプロセッサと関連する回路を含むモジュールであってもよい。プログラムの更新は、ＢＢプロセッサ１３２６の機能を変更させることができる。このモジュールは、基地局装置１３２０のスロットに挿入されるカード又はブレッドであってもよい。代わりに、このモジュールは、カード又はブレッドに搭載されるチップであってもよい。同時に、ＲＦ回路１３２７は、例えばミキサ、フィルタ、増幅器を含み、アンテナ１３１０を介して無線信号を送受信してもよい。
【０１４３】
図１６に示すように、無線通信インターフェース１３２５は複数のＢＢプロセッサ１３２６を含んでもよい。例えば、複数のＢＢプロセッサ１３２６はｅＮＢ１３００に使用される複数の周波数帯域と互換性があり得る。図１６に示すように、無線通信インターフェース１３２５は、複数のＲＦ回路１３２７を含んでもよい。例えば、複数のＲＦ回路１３２７は、複数のアンテナ素子と互換性があり得る。図１６には、無線通信インターフェース１３２５が複数のＢＢプロセッサ１３２６と複数のＲＦ回路１３２７を含む例を示したが、無線通信インターフェース１３２５は単一のＢＢプロセッサ１３２６又は単一のＲＦ回路１３２７を含んでもよい。
【０１４４】
（第２の適用例）
図１７は本開示の技術を適用できるｅＮＢの概略配置の第２の例を示すブロック図である。ｅＮＢ１４３０は１つ又は複数のアンテナ１４４０と、基地局装置１４５０と、ＲＲＨ１４６０とを含む。ＲＲＨ１４６０と各アンテナ１４４０はＲＦケーブルを介して互いに接続することができる。基地局装置１４５０とＲＲＨ１４６０は光ファイバケーブルのような高速回線を介して互いに接続することができる。
【０１４５】
アンテナ１４４０のそれぞれは単一又は複数のアンテナ素子(例えば、ＭＩＭＯアンテナに含まれる複数のアンテナ素子)を含み、ＲＲＨ１４６０の無線信号の送受信に使用される。図１７に示すように、ｅＮＢ１４３０は複数のアンテナ１４４０を含んでもよい。例えば、複数のアンテナ１４４０はｅＮＢ１４３０によって使用される複数の周波数帯域と互換性があり得る。図１７には、ｅＮＢ１４３０に複数のアンテナ１４４０が含まれる例を示したが、ｅＮＢ１４３０は単一のアンテナ１４４０を含んでもよい。
【０１４６】
基地局装置１４５０は、コントローラ１４５１と、メモリ１４５２と、ネットワークインターフェース１４５３と、無線通信インターフェース１４５５と、接続インターフェース１４５７とを含む。コントローラ１４５１、メモリ１４５２、ネットワークインターフェース１４５３は、図１３を参照して説明したコントローラ１３２１、メモリ１３２２、ネットワークインターフェース１３２３と同様である。
【０１４７】
無線通信インターフェース１４５５は任意のセルラー通信方式(例えばＬＴＥとＬＴＥー先進)をサポートし、ＲＲＨ１４６０とアンテナ１４４０を介して、ＲＲＨ１４６０に対応するセクタに位置する端末への無線通信を提供する。無線通信インターフェース１４５５は通常、例えばＢＢプロセッサ１４５６を含んでもよい。ＢＢプロセッサ１４５６が接続インターフェース１４５７を介してＲＲＨ１４６０のＲＦ回路１４６４に接続する以外、ＢＢプロセッサ１４５６は図１６を参照して説明したＢＢプロセッサ１３２６と同様である。図１７に示すように、無線通信インターフェース１４５５は複数のＢＢプロセッサ１４５６を含んでもよい。例えば、複数ＢＢプロセッサ１４５６はｅＮＢ１４３０に使用される複数の周波数帯域と互換性があり得る。図１７には、無線通信インターフェース１４５５に複数のＢＢプロセッサ１４５６が含まれる例を示したが、無線通信インターフェース１４５５は単一のＢＢプロセッサ１４５６を含んでもよい。
【０１４８】
接続インターフェース１４５７は基地局装置１４５０(無線通信インターフェース１４５５)をＲＲＨ１４６０に接続するためのインターフェースである。接続インターフェース１４５７は、基地局装置１４５０(無線通信インターフェース１４５５)をＲＲＨ１４６０に接続するための上記した高速回線における通信用の通信モジュールであってもよい。
【０１４９】
ＲＲＨ１４６０は接続インターフェース１４６１と無線通信インターフェース１４６３を含む。
【０１５０】
接続インターフェース１４６１は、ＲＲＨ１４６０(無線通信インターフェース１４６３)を基地局装置１４５０に接続するためのインターフェースである。接続インターフェース１４６１は上記した高速回線における通信用の通信モジュールであってもよい。
【０１５１】
無線通信インターフェース１４６３はアンテナ１４４０を介して無線信号を送受信する。無線通信インターフェース１４６３は通常、例えばＲＦ回路１４６４を含んでもよい。ＲＦ回路１４６４は例えばミキサ、フィルタ、増幅器を含み、アンテナ１４４０を介して無線信号を送受信してもよい。図１７に示すように、無線通信インターフェース１４６３は複数のＲＦ回路１４６４を含んでもよい。例えば、複数のＲＦ回路１４６４は複数のアンテナ素子をサポートすることができる。図１７には、無線通信インターフェース１４６３に複数のＲＦ回路１４６４が含まれる例を示したが、無線通信インターフェース１４６３は単一のＲＦ回路１４６４を含んでもよい。
【０１５２】
図１６及び図１７に示すようなｅＮＢ１３００とｅＮＢ１４３０において、図５により説明された生成ユニット４１０、干渉確定ユニット４３０及び配置ユニット４４０はコントローラ１３２１及び／又はコントローラ１４５１によって実現することができる。機能の少なくとも一部はコントローラ１３２１とコントローラ１４５１によって実現することもできる。例えば、コントローラ１３２１及び／又はコントローラ１４５１は対応するメモリに記憶された指令を実行することによって、リソース配置情報の生成、干渉の確定、及びリソースの配置を実行する機能を実行することができる。
【０１５３】
以上、本開示の好ましい実施例について図面を参照しながら説明したが、本開示はもちろん、上記の例示に限定されるものではない。当業者であれば、添付の請求項の範囲内において、様々な修正及び変更が得られ、これらの修正及び変更も本開示の技術的範囲内に含まれると理解されるべきである。
【０１５４】
例えば、図示される機能ブロック図に破線ブロックで示されるユニットはいずれも、当該機能ユニットが対応する装置では任意選択のものであり、かつ、各任意選択の機能ユニットを適切な方式で組み合わせて必要な機能を実現することができることを示す。
【０１５５】
例えば、以上の実施例では、１つのユニットに含まれる複数の機能は、個別の装置によって実現することができる。その代わり、以上の実施例では、複数のユニットによって実現される複数の機能はそれぞれ、個別の装置によって実現することができる。また、以上の機能のうち１つは複数のユニットによって実現することができる。そのような配置は、本開示の技術的範囲に含まれることは言うまでもない。
【０１５６】
本明細書では、フローチャートに記載されるステップには、前記順序が時系列に沿って実行される処理だけでなく、必ずしも時系列ではなく並列的又は独立して実行される処理も含まれる。また、時系列で処理されるステップでも、当該順序を入れ替えてもよいことは言うまでもない。
【０１５７】
以上、図面を結合して本開示の実施例について詳細に説明したが、上記した実施形態は本開示を説明するためのものであり、本開示を限定するものではないと理解すべきである。当業者にとって、本開示の精神及び範囲から逸脱することがなく、上記した実施形態に対して、様々な修正及び変更が可能である。そのため、本開示の範囲は添付した特許請求の範囲及びその等価物のみによって限定される。
【図１】
2020535673.tif 000003
【図２】
2020535673.tif 000004
【図３】
2020535673.tif 000005
【図４】
2020535673.tif 000006
【図５】
2020535673.tif 000007
【図６】
2020535673.tif 000008
【図７】
2020535673.tif 000009
【図８】
2020535673.tif 000010
【図９】
2020535673.tif 000011
【図１０】
2020535673.tif 000012
【図１１】
2020535673.tif 000013
【図１２】
2020535673.tif 000014
【図１３】
2020535673.tif 000015
【図１４】
2020535673.tif 000016
【図１５】
2020535673.tif 000017
【図１６】
2020535673.tif 000018
【図１７】
2020535673.tif 000019
【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
無線通信システムにおける電子装置であって、
ユーザー装置が被る干渉状況に従ってリソース配置情報を生成し、前記ユーザー装置の現在の高度が高度閾値よりも高く、
前記ユーザー装置の現在のサービングセルの隣接セル以外の他のセルの基地局装置に、前記他のセルの基地局装置が情報を送信するためのリソースを配置するために前記リソース配置情報を送信する、
ように配置される処理回路を含む電子装置。
【請求項２】
前記処理回路はさらに、
前記電子装置、前記隣接セルの基地局装置及び前記他のセルの基地局装置が情報を送信するためのリソースに従って、前記ユーザー装置が被る干渉状況を確定する、
ように配置される請求項１に記載の電子装置。
【請求項３】
前記処理回路はさらに、
前記電子装置、前記隣接セルの基地局装置及び前記他のセルの基地局装置の物理セル識別子ＰＣＩに従って、前記電子装置、前記隣接セルの基地局装置及び前記他のセルの基地局装置が情報を送信するためのリソースを確定する、
ように配置される請求項２に記載の電子装置。
【請求項４】
前記処理回路はさらに、
Ｘ２インターフェースを介して、前記隣接セルの基地局装置及び前記他のセルの基地局装置が情報を送信するためのリソースを取得する、
ように配置される請求項２に記載の電子装置。
【請求項５】
前記処理回路はさらに、
Ｓ１インターフェースを介して、前記隣接セルの基地局装置と前記他のセルの基地局装置が情報を送信するためのリソースを取得する、
ように配置される請求項２に記載の電子装置。
【請求項６】
前記処理回路はさらに、
前記電子装置、前記隣接セルの基地局装置及び前記他のセルの基地局装置が情報を送信するためのリソースに従って、前記電子装置、前記隣接セルの基地局装置及び前記他のセルの基地局装置をグループ化する、
ように配置される請求項２に記載の電子装置。
【請求項７】
前記処理回路はさらに、
同じグループにある装置が、情報を送信するためのリソースを多重化するように、前記リソース配置情報を生成する
ように配置される請求項６に記載の電子装置。
【請求項８】
前記処理回路はさらに、
同じグループにある装置が、情報を送信するためのリソースを時分割多重化、周波数分割多重化又は空間分割多重化するように、前記リソース配置情報を生成する、
ように配置される請求項７に記載の電子装置。
【請求項９】
前記処理回路はさらに、
更に前記ユーザー装置の位置情報に従って、前記ユーザー装置が被る干渉状況を確定する、
ように配置される請求項２に記載の電子装置。
【請求項１０】
前記他のセルの基地局装置によって送信される情報はデータ情報と制御情報を含む、
請求項１に記載の電子装置。
【請求項１１】
前記制御情報は基準信号を含む、
請求項１０に記載の電子装置。
【請求項１２】
前記電子装置は前記無線通信システムにおける基地局装置として使用され、前記ユーザー装置は無人機装置である、
請求項１から１１のいずれか１項に記載の電子装置。
【請求項１３】
無線通信システムにおける電子装置であって、
前記電子装置が被る干渉状況に従ってリソース配置情報を生成し、
前記電子装置が位置するセルの隣接セル以外の他のセルの基地局装置に、前記他のセルの基地局装置がそのユーザー装置に情報を送信するためのリソースを配置するために前記リソース配置情報を送信し、前記ユーザー装置の現在の高度が高度閾値よりも高い、
ように配置される処理回路を含む電子装置。
【請求項１４】
前記処理回路はさらに、
前記電子装置からの距離が距離閾値よりも小さいユーザー装置が情報を送信するためのリソースに従って、前記電子装置が被る干渉状況を確定する、
ように配置される請求項１３に記載の電子装置。
【請求項１５】
前記処理回路はさらに、
前記電子装置からの距離が距離閾値よりも小さいユーザー装置の現在のサービングセルの基地局装置から、前記ユーザー装置が情報を送信するためのリソースを受信する、
ように配置される請求項１４に記載の電子装置。
【請求項１６】
前記処理回路はさらに、
前記電子装置からの距離が距離閾値よりも小さい複数のユーザー装置が情報を送信するためのリソースが同じである場合に、前記電子装置が干渉されると確定する、
ように配置される請求項１４に記載の電子装置。
【請求項１７】
前記処理回路はさらに、
前記電子装置が干渉されたときに、前記複数のユーザー装置のうち一部のユーザー装置又は全部のユーザー装置の現在のサービングセルの基地局装置に、前記基地局装置がそのユーザー装置に情報を送信するためのリソースを再配置するために前記リソース配置情報を送信する、
ように配置される請求項１６に記載の電子装置。
【請求項１８】
前記ユーザー装置によって送信される情報はデータ情報と制御情報を含む、
請求項１３に記載の電子装置。
【請求項１９】
前記制御情報は基準信号を含む、
請求項１８に記載の電子装置。
【請求項２０】
無線通信システムにおける電子装置によって実行される無線通信方法であって、
ユーザー装置が被る干渉状況に従ってリソース配置情報を生成し、前記ユーザー装置の現在の高度が高度閾値よりも高いことと、
前記ユーザー装置の現在のサービングセルの隣接セル以外の他のセルの基地局装置に、前記他のセルの基地局装置が情報を送信するためのリソースを配置するために前記リソース配置情報を送信することと、
を含む無線通信方法。
【国際調査報告】
2020535673.tif 000020
2020535673.tif 000021
2020535673.tif 000022
2020535673.tif 000023